(57)【特許請求の範囲】
【請求項１】
先端から基端に亘ってスリット形状で且つ貫通状の挿入穴（２ａ）を形成した合成樹脂製の本体（２）と、金属板により略楕円板状に形成され、基端部側が本体（２）の挿入穴（２ａ）の先端部側に挿入係止される連結体（３）と、本体（２）の挿入穴（２ａ）の基端部側に挿入されて本体（２）側へ縫着される帯状の引手片（４）とから成り、前記連結体（３）の先端部側がスライドファスナーのスライダー（７）の胴体（８）に設けた柱（９）へ係止されるスライドファスナーのスライダー用引手（１）に於いて、前記本体（２）の挿入穴（２ａ）の先端部側の内面に係止孔（２ｂ）を形成し、又、前記連結体（３）の先端部側に、本体（２）の挿入穴（２ａ）の先端部側の幅（Ｗ1 ）よりも広い幅（Ｗ′）に形成されてスライダー（７）の胴体（８）に設けた柱（９）に係止される環状部（３ａ）を形成すると共に、連結体（３）の基端部側を本体（２）の挿入穴（２ａ）の先端部側の幅（Ｗ1 ）よりも狭い幅に形成して連結体（３）の両側縁に挿入穴（２ａ）の開口周縁部に当接する段部（３ｂ）を形成し、更に、連結体（３）の基端部側の中央部分に、連結体（３）の基端部側を本体（２）の挿入穴（２ａ）の先端部側へ挿入して段部（３ｂ）が挿入穴（２ａ）の開口周縁部に当接したときに本体（２）の係止孔（２ｂ）へ挿入係止されて連結体（３）を本体（２）から抜け止めする係止片（３ｃ）を突出形成したことを特徴とするスライドファスナーのスライダー用引手。
【発明の詳細な説明】
【０００１】
【発明の属する技術分野】
本発明は、スキージャケットやジャンパー等の衣服、かばんや袋物、或いは寝袋やテント等に用いられるスライドファスナーのスライダー用引手の改良に係り、特に引手の部分を大きくしてスライドファスナーの開閉操作を簡単且つ容易に行えるようにしたスライドファスナーのスライダー用引手に関する。
【０００２】
【従来の技術】
従来、引手の部分を大きくしたスライドファスナーのスライダー用引手としては、例えば図９乃至図１１に示す構造のものが知られている。
【０００３】
即ち、前記スライダー用引手１１は、スリット形状で且つ貫通状の挿入穴１２ａを有すると共に、挿入穴１２ａの一端部側の開口内周縁部に係止部１２ｂを形成したプラスチック製の板状の本体１２と、先端部側に環状部１３ａを有すると共に、基端部両側縁に側方へ突出して本体１２の係止部１２ｂへ係止される一対の係止片１３ｂを備え、先端部側から本体１２の挿入穴１２ａへ挿入される金属製の板状の連結体１３と、本体１２の挿入穴１２ａに挿入されて本体１２側へ縫着１５される合成繊維製の帯状の引手片１４とから構成されている。又、引手片１４には図示していないが文字や図形等の装飾が施されている。
【０００４】
而して、前記スライダー用引手１１は、連結体１３を先端部側から本体１２の挿入穴１２ａへ挿入してその環状部１３ａを本体１２から外方へ突出せしめると共に、その係止片１３ｂを本体１２の係止部１２ｂへ係止せしめ、その後引手片１４の一端部を本体１２の挿入穴１２ａへ挿入して本体１２側へ縫着することによって、組み立てられる。
又、この引手１１は、連結体１３の環状部１３ａをスライドファスナーのスライダーの胴体に設けた柱（何れも図示省略）へ係止することによって、スライダー側へ取り付けられる。
【０００５】
前記スライダー用引手１１は、帯状の引手片１４を備えている為、引手１１自体が大きくなって操作者が極めて摘み易くなっている。その結果、この引手１１をスキージャケットのスライドファスナーに用いた場合、スキーヤーは手袋を嵌めたままでも引手１１を摘むことができ、スライダーのスライド操作を極めて行い易くなる。即ち、スライドファスナーの開閉操作を簡単且つ容易に行え、操作性に優れたものとなる。又、引手片１４に文字や図形等の装飾が施されている為、アクセサリー的要素も大きくなり、装飾性にも優れたものとなる。
【０００６】
【発明が解決しようとする課題】
ところで、従来のスライダー用引手１１に於いては、本体１２の挿入穴１２ａへ連結体１３と引手片１４とを同じ方向から挿入するようにしている為、連結体１３を本体１２の挿入穴１２ａへ挿着してからでないと、引手片１４を本体１２側へ縫着１５することができなかった。
その結果、引手片１４を本体１２側へ挿着する際に、本体１２の挿入穴１２ａへ挿着された連結体１３が邪魔になって縫着作業を行い難いと云う問題があった。
又、連結体１３を本体１２の挿入穴１２ａへ挿着してから引手片１４を本体１２側へ縫着するようにしている為、本体１２と連結体１３と引手片１４とを完全に組み立ててからでないと、スライダー側へ取り付けることができなかった。その結果、組み立ての順序も極めて制約を受けることになり、組み立て難いと云う問題があった。
このように、従来のスライダー用引手１１は、作業性及び組立性に劣ると云う問題があった。
【０００７】
本発明は、上記の問題点を解消する為に創作されたものであり、その目的は作業性及び組立性に優れたスライドファスナーのスライダー用引手を提供するにある。
【０００８】
上記目的を達成する為に、本発明のスライドファスナーのスライダー用引手は、先端から基端に亘ってスリット形状で且つ貫通状の挿入穴を形成した合成樹脂製の本体と、金属板により略楕円板状に形成され、基端部側が本体の挿入穴の先端部側に挿入係止される連結体と、本体の挿入穴の基端部側に挿入されて本体側へ縫着される帯状の引手片とから成り、前記連結体の先端部側がスライドファスナーのスライダーの胴体に設けた柱へ係止されるスライドファスナーのスライダー用引手に於いて、前記本体の挿入穴の先端部側の内面に係止孔を形成し、又、前記連結体の先端部側に、本体の挿入穴の先端部側の幅よりも広い幅に形成されてスライダーの胴体に設けた柱に係止される環状部を形成すると共に、連結体の基端部側を本体の挿入穴の先端部側の幅よりも狭い幅に形成して連結体の両側縁に挿入穴の開口周縁部に当接する段部を形成し、更に、連結体の基端部側の中央部分に、連結体の基端部側を本体の挿入穴の先端部側へ挿入して段部が挿入穴の開口周縁部に当接したときに本体の係止孔へ挿入係止されて連結体を本体から抜け止めする係止片を突出形成したことに特徴がある。
【０００９】
【発明の実施の形態】
以下、本発明の実施の形態を図面に基づいて詳細に説明する。
図１は本発明に係るスライドファスナーのスライダー用引手１の分解斜視図であって、当該スライダー用引手１は、挿入穴２ａ及び係止孔２ｂを形成した本体２と、先端部側がスライドファスナーのスライダー側へ係止されると共に、基端部側が本体２の挿入穴２ａへ挿入係止される板状の連結体３と、本体２の挿入穴２ａに挿入されて本体２側へ縫着１０される帯状の引手片４とから成る。
【００１０】
尚、スライドファスナーは、図８に示す如く、対向状のテープ５と、テープ５に植設されて噛み合い自在な務歯６と、テープ５に沿って移動自在なスライダー７とから成り、スライダー７をスライド操作することによって、開閉できるようになっている。又、スライダー７は、務歯６の噛み合い操作を行う胴体８と、胴体８に設けた柱９と、柱９に係止される引手１とから成る。
【００１１】
前記本体２は、合成樹脂材（例えばナイロン）により一体的に形成されて居り、連結体３及び引手片４が両端側から挿入される挿入穴２ａと、連結体３の一部分が挿入係止される係止孔２ｂとを備えている。
【００１２】
即ち、本体２は、図２乃至図５に示す如く、正面形状が矩形状で且つ厚肉の板状に形成されて居り、先端（図４及び図５の上端）から基端（図４及び図５の下端）に亘って形成されたスリット形状で且つ貫通状の挿入穴２ａを備えている。この挿入穴２ａは、先端部側の幅Ｗ1 が基端部側の幅Ｗ2 よりも狭くなるように形成されて居り、挿入穴２ａの先端部側に連結体３の基端部側が、又、挿入穴２ａの基端部側に引手片４の一端部が夫々挿入されるようになっている。
更に、挿入穴２ａの先端部側の内面には、連結体３の一部分が挿入係止される係止孔２ｂが形成されている。この係止孔２ｂは、矩形状を呈して居り、本体２の外方へ連通状態になっている。
尚、本体２の基端部側の表裏面には、引手片４を本体２の基端部側へ縫着１０する為の溝２ｃが本体２の幅方向に沿って形成されている。この溝２ｃの部分は、薄肉に形成されて居り、引手片４を本体２側へ簡単且つ容易に縫着１０できるようになっている。
【００１３】
前記連結体３は、図６に示す如く、金属板（例えば洋銀、黄銅、アルミニウム等の金属板）により略楕円板状に形成されている。
又、連結体３の先端部側（図６及び図７の上端部側）には、スライドファスナーのスライダー７側へ係止される環状部３ａが形成されている。この環状部３ａは、連結体３の先端部側を略楕円状に打ち抜くことにより形成されて居り、本体２の挿入穴２ａの先端部側の幅Ｗ1 よりも若干広い幅Ｗ′に形成されている。
更に、連結体３の基端部側（図６及び図７の下端部側）は、本体２の挿入穴２ａの先端部側の幅Ｗ1 よりも若干狭い幅に形成されて居り、連結体３を基端部側から本体２の挿入穴２ａの先端部側へ挿入できるようになっている。
従って、連結体３は、その両側縁に段部３ｂが形成された格好になって居り、連結体３の基端部側を本体２の挿入穴２ａの先端部側へ挿入したときには、段部３ｂが挿入穴２ａの開口周縁部に当接して本体２側への挿入が規制されるようになっている。
【００１４】
そして、前記連結体３の基端部側の中央部分には、連結体３の基端部側を本体２の挿入穴２ａの先端部側へ挿入して段部３ｂが挿入穴２ａの開口周縁部に当接したときに、本体２の係止孔２ｂへ挿入係止されて連結体３を本体２から抜け止めする係止片３ｃが突出形成されている。この係止片３ｃは、連結体３の基端部にコ字状の切目を形成し、この部分を片面側へ折り曲げることにより形成される。
尚、係止片３ｃは、その全体の高さＨが本体２の挿入穴２ａの先端部側の厚み方向の幅Ｗ3 よりも広くなるように設定されて居り、本体２の挿入穴２ａの先端部側へ挿入できると共に、係止孔２ｂへ挿入されたときにはその先端が係止孔２ｂの内周縁部に係止されるようになっている。
【００１５】
而して、前記連結体３は、その基端部側を本体２の先端側から挿入穴２ａへ挿入すると、基端部側に形成した係止片３ｃが本体２の挿入穴２ａの開口周縁部分を押し拡げながら挿入穴２ａ内へ順次挿入されて行く。
尚、本体２は、合成樹脂材により形成されている為、比較的容易に弾性変形することになる。その結果、係止片３ｃは、その高さＨが挿入穴２ａの厚み方向の幅Ｗ3 よりも大きくても、本体２の挿入穴２ａ内を容易に通過することができる。
そして、連結体３の基端部側が挿入穴２ａへ順次挿入されて連結体３の段部３ｂが本体２の挿入穴２ａの開口周縁部へ当接すると、図２及び図３に示すように連結体３の係止片３ｃが本体２の係止孔２ｂ内へ挿入係止される。その結果、連結体３は、本体２から抜け止めされることになる。
【００１６】
前記引手片４は、合成繊維、布、皮革等により帯状に形成されて居り、一端部が本体２の挿入穴２ａの基端部側へ挿入されるようになっている。
又、引手片４の片面若しくは両面には、図示していないが模様や図形等の模様が施されている。
そして、この引手片４は、一端部側を本体２の基端側から挿入穴２ａへ挿入した後、縫製機（図示省略）等で本体２の溝２ｃ部分を縫着１０することにより、本体２側へ取り付けられる。
【００１７】
尚、この例では、本体２の長さＬは１２ｍｍに、本体２の幅Ｗは１２ｍｍに、本体２の厚みＴは３．５ｍｍに夫々選定されている。又、連結体３の長さＬ′は１５．６ｍｍに、連結体３の最大幅Ｗ′は９ｍｍに、連結体３の厚みＴ′は０．８ｍｍに、連結体３の係止片３ｃの全体の高さＨは１．５〜１．６ｍｍに夫々選定されている。更に、引手片４の長さＬ″は約５５ｍｍに、引手片４の幅Ｗ″は約１２ｍｍに夫々選定されている。
【００１８】
而して、上記構成のスライダー用引手１は、連結体３の基端部側を本体２の先端側から挿入穴２ａへ挿入して連結体３の係止片３ｃを本体２の係止孔２ｂへ挿入係止せしめ、又、引手片４の一端部を本体２の基端側から挿入穴２ａへ挿入して本体２側へ縫着１０することによって、組み立てられる（図２及び図３参照）。
又、このスライダー用引手１は、連結体３の環状部３ａをスライダー７の胴体８に設けた柱９に係止することによって、スライダー７側へ取り付けられる（図８参照）。
【００１９】
本発明のスライダー用引手１に於いては、本体２の挿入穴２ａの先端部側に連結体３の基端部側を挿入係止でき、又、本体２の挿入穴２ａの基端部側に引手片４の一端部を挿入できる構成としている。即ち、本体２の挿入穴２ａに両端側から連結体３及び引手片４を夫々挿入できるようにしている。
従って、引手片４を本体２側へ縫着１０した後、連結体３を本体２へ挿着することもできるし、又、連結体３を本体２へ挿着した後、引手片４を本体２側へ縫着１０することもできるし、或いは連結体３を先にスライダー７の胴体８に設けた柱９へ取り付けておいてから、引手片４を縫着１０した本体２を連結体３へ挿着することもできる。
このように、この引手１は、その組み立ての順番を変更しても簡単に組み立てることができ、組み立てを極めて行い易くなる。然も、本体２と引手片４とを先に縫着１０した後、連結体３を本体２へ挿着することができる為、縫着作業時に連結体３が邪魔になると云うことがなく、縫着１１作業も容易に行える。その結果、作業性及び組立性に優れたものとなる。
【００２０】
更に、この引手１は、帯状の引手片４を備えている為、引手１自体が大きくなって極めて摘み易くなっている。その結果、この引手１をスキージャケットのスライドファスナーに用いた場合、スキーヤーは手袋を嵌めた状態でも引手１を摘むことができ、スライダー７のスライド操作を極めて行い易くなる。即ち、スライドファスナーの開閉操作を簡単且つ容易に行え、操作性に優れたものとなる。又、引手片４に文字や図形等の装飾が施している為、アクセサリー的要素も大きくなり、装飾性にも優れたものとなる。
【００２１】
上記例に於いては、本体２を合成樹脂材により一体的に形成したが、他の例に於いては、本体２を複数の部材から構成し、後で組み立てるようにしても良く、或いは本体２を金属材により形成するようにしても良い。
【００２２】
上記例に於いては、本体２を、正面形状が矩形状で且つ厚肉の板状に形成したが、本体２の形状は上記例のものに限定されるもではなく、連結体３及び引手片４を別々の方向から挿着できる挿入穴２ａ及び連結体３の係止片３ｃが係止される係止孔２ｂを備えて居れば、如何なる形状であっても良い。例えば、本体２を、正面形状が楕円状で且つ厚肉の板状に形成しても良い。
【００２３】
【発明の効果】
上述の通り、本発明のスライダー用引手は、本体の挿入穴の先端部側に連結体の基端部側を挿入係止でき、又、本体の挿入穴の基端部側に引手片の一端部を挿入できる構成としている。即ち、本体に形成した貫通状の挿入穴に両端側から連結体及び引手片を夫々挿入できるようにしている。
その結果、本発明のスライダー用引手は、その組立の順番を変更しても簡単に組み立てることができ、組み立てを極めて行い易くなる。然も、本体と引手片とを縫着した後で連結体を本体へ挿着することができる為、縫着作業時に連結体が邪魔になると云うことがなく、縫着作業も容易に行える。延いては、作業性及び組立性に優れたものとなる。
【図面の簡単な説明】
【図１】本発明に係るスライドファスナーのスライダー用引手の分解斜視図である。
【図２】スライダー引手の拡大背面図である。
【図３】スライダー用引手の拡大断面図である。
【図４】スライダー用引手の本体の拡大正面図である。
【図５】図４のＡ−Ａ線断面図である。
【図６】スライダー用引手の連結体の拡大背面図である。
【図７】図６のＢ−Ｂ線断面図である。
【図８】スライダー用引手を取り付けたスライドファスナーの拡大正面図である。
【図９】従来のスライダー用引手の正面図である。
【図１０】従来のスライダー用引手の側面図である。
【図１１】従来のスライダー用引手の一部切欠拡大正面図である。
【符号の説明】
１はスライダー用引手、２は本体、２ａは挿入穴、２ｂは係止孔、３は連結体、３ｃは係止片、４は引手片、７はスライダー、８は胴体、９は柱、１０は縫着。
【図１】
0003639393.tif 000002
【図２】
0003639393.tif 000003
【図３】
0003639393.tif 000004
【図４】
0003639393.tif 000005
【図５】
0003639393.tif 000006
【図６】
0003639393.tif 000007
【図７】
0003639393.tif 000008
【図８】
0003639393.tif 000009
【図９】
0003639393.tif 000010
【図１０】
0003639393.tif 000011
【図１１】
0003639393.tif 000012